【事件の表示】
　商願２００３−　８５９３９拒絶査定不服審判事件について、次のとおり審決する。
【結　論】
　本件審判の請求は、成り立たない。
【理　由】
第１　本願商標　
　本願商標は、別掲のとおりの構成よりなり、第３類、第８類、第９類、第１２類、第１４類、第１６類、第２０類、第２１類、第２４及び第２７類に属する願書に記載の商品を指定商品として、平成１５年１０月２日に登録出願し、その後、指定商品について同１６年４月５日及び同年９月２８日付けの手続補正書により、第８類「エッグスライサー（電気式のものを除く。），かつお節削り器，角砂糖挟み，缶切，くるみ割り器（貴金属製のものを除く。），スプーン，チーズスライサー（電気式のものを除く。），ピザカッター（電気式のものを除く。），フォーク」、第９類「眼鏡」、第１４類「貴金属，貴金属製食器類，貴金属製のくるみ割り器・こしょう入れ・砂糖入れ・塩振出し容器・卵立て・ナプキンホルダー・ナプキンリング・盆及びようじ入れ，貴金属製宝石箱，貴金属製の花瓶及び水盤，時計，貴金属製喫煙用具」、第２１類「なべ類，コーヒー沸かし（電気式又は貴金属製のものを除く。），鉄瓶，やかん，食器類（貴金属製のものを除く。），携帯用アイスボックス，米びつ，食品保存用ガラス瓶，水筒，魔法瓶，アイスペール，泡立て器，こし器，こしょう入れ・砂糖入れ及び塩振り出し容器（貴金属製のものを除く。），卵立て（貴金属製のものを除く。），ナプキンホルダー及びナプキンリング（貴金属製のものを除く。），盆（貴金属製のものを除く。），ようじ入れ（貴金属製のものを除く。），ざる，シェーカー，しゃもじ，手動式のコーヒー豆ひき器及びこしょうひき，じょうご，すりこぎ，すりばち，ぜん，栓抜，大根卸し，タルト取り分け用へら，なべ敷き，はし，はし箱，ひしゃく，ふるい，まな板，麺棒，焼き網，ようじ，レモン絞り器，ワッフル焼き型（電気式のものを除く。），清掃用具及び洗濯用具，湯かき棒，浴室用腰掛け，浴室用手おけ，愛玩動物用食器，花瓶及び水盤（貴金属製のものを除く。）」、第２４類「織物，メリヤス生地，フェルト及び不織布，オイルクロス，ゴム引防水布，ビニルクロス，ラバークロス，レザークロス，ろ過布，織物製テーブルナプキン，ふきん，シャワーカーテン，織物製トイレットシートカバー，織物製いすカバー，織物製壁掛け，カーテン，テーブル掛け，どん帳，布製ラベル」及び第２７類「洗い場用マット，敷物，壁掛け（織物製のものを除く。）」に補正されたものである。
　
第２　原査定の拒絶の理由の要旨
　原査定は、「本願商標は、その構成中に、世界的に著名なイタリアのデザイナーである『Ｖａｌｅｎｔｉｎｏ　Ｇａｒａｖａｎｉ（ヴァレンティノ　ガラヴァーニ）』のデザインに係るバック、ベルト、婦人服、紳士服、ネクタイ、靴・・・シガレットケース等に使用され、本願商標の登録出願前より、我が国において、取引者、需要者の間に広く認識されている『ＶＡＬＥＮＴＩＮＯ』の文字を有してなるから、これをその指定商品に使用する場合は、あたかも『Ｖａｌｅｎｔｉｎｏ　Ｇａｒａｖａｎｉ』もしくは同氏と経済的に何らかの関連を有する者の商品であるかのように、商品の出所についての混同を生じるおそれがあるものと認める。 したがって、本願商標は、商標法第４条第１項第１５号に該当する。」旨認定、判断し本願を拒絶したものである。 
　
第３　当審においてした証拠調べ 
　「ＶＡＬＥＮＴＩＮＯ　ＧＡＲＡＶＡＮＩ／ヴァレンティノ・ガラヴァーニ」「ＶＡＬＥＮＴＩＮＯ　ＧＡＲＡＶＡＮＩ」「ヴァレンティノ・ガラヴァーニ」「Ｖａｌｅｎｔｉｎｏ　Ｇａｒａｖａｎｉ」の他、「ＶＡＬＥＮＴＩＮＯ」「Ｖａｌｅｎｔｉｎｏ」「ヴァレンティノ」「バレンチノ」に関して行った職権による証拠調べによれば、以下の事実が認められる。  
１　辞典類  
（ア）「英和商品名辞典」（株式会社研究社、１９９０年第１刷発行、４４７頁）には、「イタリアＲｏｍａのデザイナーＶａｌｅｎｔｉｎｏ　Ｇａｒａｖａｎｉ（１９３２−　）のデザインした婦人・紳士物の衣料品・毛皮・革製バッグ・革小物・ベルト・ネクタイ・アクセサリー・婦人靴・香水・ライター・インテリア用品など．・・・１９６７年にＦｉｒｅｎｚｅで白一色のコレクションを発表してマスコミに大きく取り上げられ、一躍その名を高めた．」の記載がある。  
（イ）「岩波＝ケンブリッジ世界人名辞典」（株式会社岩波書店、１９９７年１１月２１日第１刷発行）の［ガラヴァーニ］の項において「ヴァレンティノ Ｇａｒａｖａｎｉ，Ｖａｌｅｎｔｉｎｏ通称ヴァレンティノ　Ｖａｌｅｎｔｉｎｏ（伊 １９３３−）服飾デザイナー、同じく、［ヴァレンティノ　Ｖａｌｅｎｔｉｎｏ］の項において、「ガラヴァーニ、ヴァレンティノ」を見よ」との表示があること。  
（ウ）「服飾辞典」（文化出版局、昭和６３年９月５日第１０刷発行、付録世界のデザイナー２９及び３０頁）「ヴァレンティノ・ガラヴァーニ」の項には、「イタリア北部の都市に生まれる。・・・スタイリストになるため、パリのサンジカ（パリ高級衣装店組合の学校）で技術を身につける。・・・１９５８年独立、ヴァレンティーノ・クチュールの名でローマに店を開いた。このころ、イタリアのモードは世界的に有名になりつつあった。彼の最初の仕事は、フィレンツェのピッティ宮殿でのコレクションである。このコレクションは、〈白だけの服〉という珍しい演出であったが、その美しさはジャーナリストの間で評判になり、『ニューズ・ウィーク』『ライフ』『タイム』『ウィメンズ・ウェア・デイリー』各誌紙で取材、モードのオスカー賞を獲得した。１９６７年、ヴァレンティーノの名は世界に知れわたった。１９７２年には紳士物も始め、その他アクセサリー、バッグ、宝石類、香水、化粧品、家具、布地、インテリアと、その仕事の幅はたいへん広いが、すべてヴァレンティーノ独特のセンスを保っているのはみごとである。」の記載がある。  
（エ）「ファッション辞典」（文化出版局、２００５年２月１０日第４版第２刷発行、６３７頁）のガラヴァーニ，ヴァレンチノ［Ｖａｌｅｎｔｉｎｏ　Ｇａｒａｖａｎｉ］の項には「１９３２年イタリア生まれ。パリでの修業の後、’６０年にローマに店を開く。’６９年ミラノに初のプレタポルテのブティックを出店。’８９年オートクチュール進出。華麗でエレガントな作品で、世界中の社交界の女性を顧客に持つ。」の記載がある。  
２　書籍、雑誌類  
（ア）「メイド・イン・イタリア大図鑑」（昭和５９年６月１日日本交通公社出版事業局発行）において「ヴァレンティノ・ガラヴァーニの語り口には、自信と誇りがあふれている。彼の創造するファッションは世界じゅうで人気を博しているが、彼の貴公子然とした、その美貌もまた有名なところだ。」との記載、及びその経歴等を紹介する内容とともに、オートクチュール・サロン、オートクチュールのロングドレス、コートのほか、「キーホルダー、バッグ、靴、サングラス、ジュエリー」の商品の写真が掲載されていること。  
（イ）「世界の一流品大図鑑’８６年版」（発行日不明、講談社発行）において、「ＶＡＬＥＮＴＩＮＯ ＧＡＲＡＶＡＮＩ＼ヴァレンティノ・ガラバーニ（イタリア）」と「スーツ、ジャケット、ブラウス、ポロシャツ、セーター、ブルゾン、靴、ネクタイ、バッグ、財布、ベルト」の写真が掲載されていること。  
（ウ）「世界の一流品大図鑑’８７年版」（発行日不明、講談社発行）において、「ＶＡＬＥＮＴＩＮＯ ＧＡＲＡＶＡＮＩ＼ヴァレンティノ・ガラバーニ（イタリア）」と「ポロシャツ、ブルゾン、シャツ、スカート、ネクタイ」の写真が掲載されていること。  
（エ）「イタリア大図鑑」（１９８７年１１月６日読売新聞社発行）において、「ＶＡＬＥＮＴＩＮＯ ＧＡＲＡＶＡＮＩ＼ヴァレンティノ・ガラヴァーニ」と「婦人服、香水」の写真が、説明文において「ヴァレンティノ」の略称を使用した文章と一緒に掲載されていること。  
（オ）「世界の一流品大図鑑’９５年版」（発行日不明、講談社発行）において、「ＶＡＬＥＮＴＩＮＯ ＧＡＲＡＶＡＮＩ＼ヴァレンティノ ガラバ（ヴァ）ーニ（イタリア）」と「婦人服」の写真が掲載されていること。  
（カ）「ファッション・ブランド・ベスト１０１」（２００１年１１月２５日株式会社新書館発行）において「ヴァレンティノ　ガラヴァーニ　Ｖａｌｅｎｔｉｎｏ　Ｇａｒａｖａｎｉ」の経歴等を紹介する内容とともに「現在、ブランドはヴァレンティノ（レディス、メンズ）、ヴァレンティノ　ローマ（レディス、メンズ）、ヴァレンティノ　ガラヴァーニ（バッグ、シューズなど）、ヴァレンティノ　ジーンズなどのラインを展開。」と掲載されていること。  
（キ）「イタリアン・ファッションの現在」（２００５年３月３０日株式会社学文社発行）において「ヴァレンティーノ・ガラヴァーニ［Ｖａｌｅｎｔｉｎｏ　Ｇａｒａｖａｎｉ］は、パリのジャン・デセ［Ｊｅａｎ　Ｄｅｓｓｅｓ］やギー・ラロッシュ［Ｇｕｙ　Ｌａｒｏｃｈｅ］での修行後、１９５９年にローマのコンドッティ通りに最初のアトリエを構えた。また、しばらくしてミラノでもアルタ・モーダのデザイナーの多くが活動しはじめ、そのなかにはジョレ・ヴェネツィアーニ［Ｊｏｌｅ　Ｖｅｎｅｚｉａｎｉ］もいて、彼はスカラ座のプリマやマリヤ・カラスの衣装担当を務め、『ライフ』や『ビギ』などの表紙に登場するなど国際的な評価を得ていた。」、「・・・イタリアでもっとも広く視聴されている番組−娯楽ニュース番組『ストゥリッシア・ラ・ノティーツイア［Ｓｔｒｉｓｃｉａ　ｌａ　Ｎｏｔｉｚｉａ］』−に登場する個性ある人物たちをみればわかる。同番組では、ヴァレンティーノ［Ｖａｌｅｎｔｉｎｏ］−１９５９年ローマのファッションショーでデビューして以来、ファッション界の”伝道者”であり、また風刺対象の”王者”であるデザイナー−の絶妙な物まねが登場する」と掲載されていること。  
（ク）「世界のスターデザイナー４３」（２００５年１２月１５日株式会社未來社発行）において「ヴァレンティノ・ガラヴァーニ」について、「ファッション界にも、スーパースターがいる。ジョン・ガリアーノやトム・フォードをあげる人もいるに違いない。イブ・サンローランも、確かにそうだった。しかし、ヴァレンティノのように移ろいやすいファッションの世界で、４０年以上スーパースターであり続けている人はほかにいない。」と掲載されていること。  
（ケ）「よくわかるアパレル業界［改訂版］」（２００６年１月２０日株式会社日本実業出版社発行）において「ヴァレンティノ／Ｖａｌｅｎｔｉｎｏ」の項で「ヴァレンティノ・ブティック・ジャパン〜ヴァレンティノ・ガラヴァーニがデザイン、パリコレクションに参加している。ヴァレンティノ・レッドと呼ばれる赤などの鮮やかな色を使った大胆でエレガントな作風が特徴。」と掲載されていること。  
（コ）「ｍａｒｉｅ　ｃｌａｉｒｅ　ｊａｐｏｎ＼マリ・クレール日本版」（１９８９年１２月号中央公論社発行）において、「ヴァレンティノ・ガラヴァーニ」と「婦人服」の写真が掲載されていること。  
（サ）「毎日グラフ」（１９９１年８月４日発行）において、ヴァレンティノの東京でのコレクション・ショーの記事と写真が「ヴァレンティノ」の略称を使用した文章と一緒に掲載されていること。  
（シ）「ｍａｒｉｅ　ｃｌａｉｒｅ　ｊａｐｏｎ＼マリ・クレール」（１９９１年９月号中央公論社発行）において、「ヴァレンチノ・ガラバーニ」について「ヴァレンチノ」の略称を使用して記載した記事と写真が掲載されていること。  
（ス）「家庭画報 １９９１年１２月号」（１９９１年１２月１日発行）において、「…ヴァレンティノがファッション界にデビューして３０年。その偉業を称えて彼の生地ローマでは街をあげての大祝賀パーティーが催されました…」 と掲載されていること。  
（セ）「ｍａｒｉｅ　ｃｌａｉｒｅ　ｊａｐｏｎ＼マリ・クレール」（１９９２年１１月号中央公論社発行）において、「そしてまたひとつ、新しい話題を呼びそうなスポットが誕生したが、こちらは昔ながらの代官山にふさわしい、大人のための空間である。八幡通りに面して、品格のあるたたずまいを見せる『サンローゼ代官山』だ。この一階にヴァレンティノ・ガラヴァーニの洒落たブッティックがオープンした…もっと身近にヴァレンティノのスタイルを取り入れたい、と思っている人には見逃せないブッティックとなるだろう。」と掲載されていること。  
（ソ）「毎日グラフ」（１９９２年１１月１日発行）において、ヴァレンティノの’９２〜’９３秋冬コレクション。「時の予感―ファッションの未来へ」と題された３日間にわたるイベントの記事と写真が掲載されていること。  
（タ）「ｍａｒｉｅ　ｃｌａｉｒｅ　ｊａｐｏｎ＼マリ・クレール」（１９９６年２月号中央公論社発行）において、「ヴァレンティノ・ガラヴァーニ」について「ヴァレンティノ」、「Ｖａｌｅｎｔｉｎｏ」の略称を使用して記載した記事と写真及び婦人服の写真が掲載されていること。  
（チ）「ｍａｒｉｅ　ｃｌａｉｒｅ　ｊａｐｏｎ＼マリ・クレール」（１９９６年９月号中央公論社発行発行）において、「ヴァレンティノ」「ＶＡＬＥＮＴＩＮＯ」の見出しで「ヴァレンティノ・ガラバーニ」の記事と写真及びヴァレンティノの’９６〜’９７秋冬・プレタポルテ・コレクションの写真が掲載されていること。  
（ツ）「暮しの手帖６６」（１９９７年２・３月号）において、「ヴァレンティノ・ガラバーニ」の記事と「Ｖａｌｅｎｔｉｎｏ」と婦人服の写真が掲載されていること。  
（テ）「家庭画報」（１９９７年４月号）において、「ヴァレンティノ」と「ＶＡＬＥＮＴＩＮＯ」の婦人服、スーツの写真が掲載されていること。  
（ト）「家庭画報」（１９９７年１１月号）において、「ヴァレンティノ」の婦人服、スーツの写真が掲載されていること。  
（ナ）「ｍａｒｉｅ　ｃｌａｉｒｅ＼マリ・クレールｊａｐｏｎ」（１９９８年４月号中央公論社発行）において、「ヴァレンティノ」「ＶＡＬＥＮＴＩＮＯ」の’９８年春夏パリ・オートクチュール・コレクションの写真が掲載されていること。  
（ニ）「ｍａｒｉｅ　ｃｌａｉｒｅ＼マリ・クレールｊａｐｏｎ」（１９９８年１１月号発行）において、「ヴァレンティノ＼Ｖａｌｅｎｔｉｎｏ」の見出しで、「ヴァレンティノ」の記事と’９８―’９９秋冬ヴァレンティノ　オートクチュール＼コレクションの写真が掲載されていること。  
（ヌ）「週刊読売」（平成１０年１１月２２日発行）において、「ヴァレンティノ」の見出しで「ヴァレンティノ・ガラヴァーニ」の記事と写真が掲載されていること。  
（ネ）「ｍａｒｉｅ　ｃｌａｉｒｅ＼マリ・クレールｊａｐｏｎ」（１９９９年１月号中央公論社発行）において、「クチュリエの最高峰と呼ばれ、エレガントなパリ・モードの世界を創造し続けるヴァレンティノ・ガラヴァーニ。その華やかなコレクションがフルラインアップされたブティックがこの秋、横浜に登場した。」と掲載されていること。  
（ノ）「家庭画報」（１９９９年４月号）において、「ヴァレンティノ」の婦人服の写真が掲載されていること。  
（ハ）「ｍａｒｉｅ　ｃｌａｉｒｅ＼マリ・クレールｊａｐｏｎ」（１９９９年８月号）において、「ヴァレンティノ」のベルトの写真が掲載されていること。  
（ヒ）「家庭画報」（２０００年４月号世界文化社発行）において、「ヴァレンティノ」の婦人服及びバッグの写真が掲載されていること。  
（フ）「ニューズウィーク日本版」（２００１年４月１８日ＴＢＳブリタニカ発行）において、「四〇年間にわたり、ファッション界をリードし続けてきたデザイナー、バレンチノ・ガラバーニ。ジャクリーン・ケネディ・オナシスやオードリー・ヘプバーンなど二〇世紀のスタイルを象徴する人々に服を提供してきた彼は、洗練されたデザインの規範をつくり上げてきた。」の記事と写真が掲載されていること。  
（ヘ）「ハーパース・バザー」（２００１年１１月号エイチビー・ジャパン株式会社発行）において、「ヴァレンティノ」の記事と婦人服及びバッグの写真が掲載されていること。
（ホ）「婦人画報　２００２年３月号」（２００２年３月１日発行）において、「ヴァレンティノ」の婦人服の写真が掲載されていること。  
（マ）「ハーパース・バザー日本版　２００３年６月号」（２００３年６月１日発行）において、「Ｖａｌｅｎｔｉｎｏ」「ヴァレンティノ」の見出しで「ヴァレンティノ・ガラヴァーニ」の記事と写真が掲載されていること。（ミ）「家庭画報　２００４年１月号」（２００４年１月１日発行）において、「ヴァレンティノ・ガラバーニ」の記事と写真が掲載されていること。（ム）「婦人公論」（２００４年６月２２日発行）において、「ＶＡＬＥＮＴＩＮＯ」「ヴァレンティノ」 の婦人服の写真が掲載されていること。  
（メ）「婦人公論」（２００５年４月７日発行）において、「ヴァレンティノ」 の婦人服の写真が掲載されていること。  
（モ）「ヴァンサンカン ２５ans １９９４年４月号」（１９９４年４月１日婦人画報社発行）において、「手の込んだディテールで勝負する「ヴァレンティノガラヴァーニ」」の見出しの下「満足な着心地で、ディテールの手の込みようはプレタ・ラインであってもオートクチュール並みの完成度、それがヴァレンティノ・ガラヴァーニです。」との記載及び商品として「イヤリング（２点共）ヴァレンティノ　ガラヴァーニ／ヴァレンティノブティックジャパン」が掲載されていること。  
３　新聞記事  
（ア）「繊研新聞」（昭和５１年９月２８日付）において「ヴァレンティノ秋冬ショー」の見出し記事が掲載されていること。  
（イ）「センイ・ジャァナル」（昭和５１年９月２９日付）において「ヴァレンティノ・コレクション」との見出しの下「…この秋のバレンティノの個性を強調したものと見うけられた。…」との記事が掲載されていること。  （ウ）「読売新聞大阪版」（昭和５１年９月３０日付）において「ヴァレンティノのショーから」との見出しの下「イタリア服飾界の鬼才といわれるヴァレンティノ・ガラバーニの７６秋冬コレクションが、このほど大阪ロイヤルホテルで開かれた。」との記事が掲載されていること。  
（エ）「朝日新聞」（昭和５１年９月３０日付、同年１０月２日付及び同月５日付）において「バレンティノ・ショー」との見出しの下「…かつて、白一色だけのショーを開き、注目を浴びたバレンティノが…」、「…もっともバレンティノにいわせると…」との記事が掲載されていること。  
（オ）「秋田さきがけ新聞」（昭和５１年９月３０日付）において「見事な色と素材／バレンチノ作品展から／エレガンスを創造」との見出しの下「今、ファッションの世界で、本物の”エレガンス”を創造することができるのは、この人ぐらいではなかろうか。バレンチノ・ガラバーニ、イタリア・オートクチュールをリードする鬼才。」との記事が掲載されていること。  
（カ）「河北新報」（昭和５１年１０月１日付）において「バレンチノのトータルファッション／鮮やかな赤と黒／エレガンスな世界を創造」との見出しの下「バレンチノ・ガラバーニ、イタリア・オートクチュールをリードする鬼才。」との記事が掲載されていること。
（キ）「センイ・ジャァナル」（昭和５１年１０月２日付）において「(東京)イタリアのデザイナーヴァレンティノの…」との記事が掲載されていること。  
（ク）「日刊ゲンダイ」（昭和５１年１０月２日付）において「ヴァレンティノ・コレクション発表」との見出しの下「このほどそのイタリアンファッション界の鬼才と評されているヴァレンティノ・ガラバーニ氏のパリ。ローマでかっさいをあびたというコレクションの発表会が東京、大阪で開催され、そのオリエンタル風なデザイン感覚は、われわれ日本人の心を魅了した。」との記事が掲載されていること。  
（ケ）「東奥日報」(昭和５０年１０月４日付)において「見事な色と素材／バレンチノの作品群」との見出しの下「今、ファッションの世界で、本物の”エレガンス”を創造することができるのは、この人ぐらいではなかろうか。バレンチノ・ガラバーニ、イタリア・オートクチュールをリードする鬼才。」との記事が掲載されていること。  
（コ）「山陰中央新報」（昭和５１年１０月４日付）において「本物のエレガンスを創造」との見出しの下「…惜しみなく絶賛！を贈れるバレンチノだった。…」との記事が掲載されていること。  
（サ）「サンケイ新聞」（昭和５１年１０月５日付）において「ヴァレンティノ・コレクション」との見出しの下「イタリアン・ファッションを代表するデザイナー、ヴァレンティノ・ガラバーニ氏の秋冬コレクション。」との記事が掲載されていること。  
（シ）「宮崎日日新聞」(昭和５１年１０月５日付)において「超一級の色と素材／見事なバレンチノ作品」との見出し記事が掲載されていること。  
（ス）「日経産業新聞」(昭和５１年１０月６日付)において「伊の鬼才ヴァレンティノ　これが７６年秋冬の新作　機能性と女らしさの融合」との見出し記事が掲載されていること。  
（セ）「福島民友新聞」(昭和５１年１０月６日付)において「バレンチノの芸術」との見出しの下「今、ファッションの世界で、本物の”エレガンス”を創造することができるのは、この人ぐらいではなかろうか。バレンチノ・ガラバーニ、イタリア・オートクチュールをリードする鬼才。」との記事が掲載されていること。 
（ソ）「日経流通新聞」(昭和５１年１０月７日付)において「来春からインテリア小物も　ヴァレンティノ・ブティック・ジャパン」との見出しの下「ヴァレンティノ・ガラバーニの極東地区総代理権をもつヴァレンティノ・ブティック・ジャパン（本社東京）は来春からヴァレンティノブランドのインテリア小物を売り出す。」との記事が掲載されていること。  
（タ）「徳島新聞」(昭和５１年１０月１２日付)において「見事な色と素材／バレンチノの作品群から」との見出しの下「バレンチノ・ガラバーニ、イタリア・オートクチュールをリードする鬼才。」との記事が掲載されていること。 
（チ）「公明新聞」(昭和５１年１０月１４日付)において「無地が売り物のヴァレンティノ」との見出しの下「このほど伝統を誇る欧州イタリアのヴァレンティノの秋冬物が公開されました。」との記事及び写真に付された「ヴァレンティノのスポーティー・ルック」との記事が掲載されていること。  
（ツ）「夕刊フクニチ」(昭和５１年１０月１８日付)において「すばらしい色と素材／バレンチノの秋冬新作」との見出し記事が掲載されていること。（テ）「千葉日報」(昭和５１年１１月３日付)において「みごとな色と素材／ファッション／バレンチノの作品群」との見出しの下「今、ファッションの世界で、本物の”エレガンス”を創造することができるのは、この人ぐらいではなかろうか。バレンチノ・ガラバーニ、イタリア・オートクチュールをリードする鬼才。」との記事が掲載されていること。  
（ト）「報知新聞」(平成３年７月２９日付)において「リズの花嫁衣装はバレンチノ」との見出しの下「…イタリアの有名デザイナー，バレンチノが作ることになった。…」等との記事が掲載されていること。  
（ナ）読売新聞東京朝刊（１９９０年６月３０日付）において「この冬、毛皮が変わる　暖冬時代に即して毛あし短く布地感覚」との見出しの下「…自然の毛皮の色にこだわらず、さまざまな色やデザインのプリントをしているのも大きな特徴。染色技術の進歩で、ペーズリーを思わせるプリント柄や、はやりのアースカラーを濃淡をつけて並べたものなどが続々登場。これほど複雑なプリントは、今まで見られなかったものだ。デザインは、バレンチノ・ガラバーニ、ジャンフランコ・フェレなど、海外の著名デザイナーを起用。布地と同じようにファッション性を高めている。…」 との記事が掲載されていること。
（ニ）読売新聞東京朝刊（１９９０年７月２２日付）において「［ＪＵＳＴ　ＦＩＴ］ヴァレンティノ・ガラヴァーニ　“イタリアの遺産”再生」との見出しの下「…『高級であること、美しくあること』にこだわり続けるイタリアのトップ・デザイナー、ヴァレンティノ・ガラヴァーニ。２７歳でデビューしてから３０年の歳月が流れたが、華麗でざん新なファッションは、衰えるどころか、新作発表の度にみずみずしさを増している。今シーズン、ヴァレンティノの心を捕らえた『美しいもの』はエトルリア美術。ギリシャ文明の流れをくむイタリアの『遺産』を長めのニットに大胆にプリントし、ボトムには軽快なミニのプリーツスカートを組み合わせる。…」 との記事が掲載されていること。  
（ヌ）毎日新聞東京夕刊（１９９１年３月２９日付）において「［ウイーク・エンド・ストリート］ＶＡＬＥＮＴＩＮＯ　ＧＡＲＡＶＡＮＩ」との見出しの下「…東京・赤坂のニューオータニアベニューはスペースをゆったりと取った、エレガントなブティックが建ち並び、大人の高級ショッピングストリートとして最近注目を集めています。・・・ここの１階正面に世界中でも２番目に大きなヴァレンティノ　ブティックがオープンしました。女性物と男性物、すべてインポートの豊富な品ぞろえが自慢です。１８０坪のぜいたくな店内、３坪の広さの試着室など、ゆったりとショッピングが楽しめます。商品は高級感あふれるものから若々しいカジュアル、パーティードレス、靴やバッグ、アクセサリーも充実しています。このブティックで限定販売の香水『ヴァレンティノ　フレグランス』も見逃せません。★ヴァレンティノ　ガラヴァーニ　ブティック　東京都千代田区紀尾井町４−１　ホテルニューオータニ　サンローゼ赤坂ガーデンコート１Ｆ…」との記事が掲載されていること。  
（ネ）読売新聞東京朝刊（１９９１年４月７日付）において「［ＪＵＳＴ　ＦＩＴ］ヴァレンティノ・ガラヴァーニ　職人芸にますます磨き」との見出しの下「…『シックな装い』を永遠のテーマに、甘く優しい女性の服を作り続けるベテラン、ヴァレンティノ・ガラヴァーニ。今春デザイナー生活３０周年を迎え、精巧で繊細な職人芸にますます磨きがかかってきた。シンプルな黒のミニドレス。体のラインにそったシルエットが、ウエストで結んだピンクのリボンを境に広がり、柔らかなフレアースカートに変化する。肩をあらわにしているが、セクシーさより、むしろ清そな雰囲気が漂っている。…」 との記事が掲載されていること。  
（ノ）読売新聞大阪朝刊（１９９２年２月６日付）において「バレンチノやコシノが参加／大阪コレクション」との見出しの下「…社団法人トータルファッション協会（ＡＴＦ、春名和雄会長）は五日、三月三十一日と四月一日に大阪市中央区のマイドームおおさかで開く『ワールド・ファッション・コレクション』のデザイナーを発表した。大阪とミラノの姉妹都市提携十周年を記念して、『ＯＳＡＫＡ−ＩＴＡＬＹ実力派デザイナーたちのＮＥＷエナジー』がテーマ。日本のコシノ・ヒロコさんとイタリアのバレンチノ・ガラバーニ氏、さらにフェンディファミリーから女性デザイナー三人が参加し、九二年秋冬物の最新コレクションを発表する。…」 との記事が掲載されていること。  
（ハ）朝日新聞大阪朝刊（１９９２年３月３日付）において「ファッション関係の合同見本市を開催　３日から大阪・南港で【大阪】」との見出しの下「…このほかコシノヒロコやイタリアのバレンチノ・ガラバーニなどのファッションショーが、ワールド・ファッション・コレクションとして、３１日から２日間、大阪市のマイドームおおさかで行われる。…」 との記事が掲載されていること。  
（ヒ）毎日新聞大阪朝刊（１９９２年４月１日付）において「ワールド・ファッション・コレクション　一流ブランドの秋冬コレクションを紹介」との見出しの下「…『ワールド・ファッション・コレクション』（トータルファッション協会主催）が３１日、大阪市中央区のマイドームおおさかで開かれた＝写真。大阪・ミラノ姉妹都市提携１０周年を記念して、イタリアのバレンチノ・ガラバーニの『オリバー』、フェンディーの『フェンディシメ』など一流ブランドの秋冬コレクションが紹介された。…」 との記事が掲載されていること。  
（フ）読売新聞大阪朝刊（１９９２年４月４日付）において「手ごろな価格セカンドブランド　ミラノ・ファッション・ショーで紹介／大阪」との見出しの下「…高級ブランドのイメージを残しながら価格は親ブランドに比べてぐっと手ごろな『セカンドブランド』を紹介するファッション・ショーが大阪市内で開かれた。トータルファッション協会が大阪・ミラノ姉妹都市提携十周年を記念して、フェンディの若者向けブランド『フェンディシメ』とバレンチノ・ガラバーニの『オリバー』を紹介した。世界的な景気の後退で高級品の売れ行きが鈍っているため、これまで富裕なマダム層を顧客にしてきた高級ブランドも買いやすい価格帯のセカンドブランドの開発に力を入れ始めている。…」 との記事が掲載されていること。  
（ヘ）流通サービス新聞（１９９３年２月２日付）において「三喜商事、９３春夏『ヴァレンティノ・ガラヴァーニ・アトリエ』コレクション」との見出しの下「輸入商社の三喜商事（東京都千代田区三番町６の５、社長堀田康彦氏、電０３・３２３８・１３８１）は全国４都市で、イタリアのデザイナー、ヴァレンティノ・ガラヴァーニ氏のレディーステキスタイル（服地）ブランド『ヴァレンティノ・ガラヴァーニ・アトリエ』の９３年春夏シーズンのフロアショーを開催した。『アトリエ』はテキスタイルに具体的なデザインイラストを付ける販売方法を取っている。同フロアショーは、そのデザインイラストを再現したコレクションで、春夏・秋冬の年２回、オーダーメード専門店や百貨店などの取引先を招いて開催している。ヴァレンティノ・ガラヴァーニ氏のテキスタイルブランドは、『アルタモーダ』、『ミスＶ』と『アトリエ』の三ブランドあり、すべて三喜商事が輸入販売している。…」 との記事が掲載されていること。  
（ホ）流通サービス新聞（１９９７年１月１４日付）において「ホテルＣＳ戦略・パートＩＩ／ホテルニューオータニ−会員専用センター開設」との見出しの下「…ニューオータニのショッピング街にはヴァレンティノ・ガラバーニやジョルジオ・アルマーニなど内外有名ブランドショップが五十店ある。…」との記事が掲載されていること。  
（マ）日刊工業新聞（１９９７年４月３０日付）において「富士紡績、製品事業を拡大。男性下着を拡販、レディース向けも増産」との見出しの下「…富士紡績は製品事業を拡大する。・・・富士紡績の製品事業はＢ・Ｖ・Ｄを中心とするインナーウエアが六割、バレンチノ・ガラバーニのジーンズやスポーツ、カジュアルなどアウターウエアが四割の構成となっている。…」 との記事が掲載されていること。
 （ミ）読売新聞（１９９８年２月３日付）において「９８春夏パリコレオートクチュール　『豪華さ』世代で対照的（寄稿）」との見出しの下「…ヴァレンティノも、新しい社屋でサロン形式のショーを開いた。デザイナーのヴァレンティノ・ガラバーニは、昼の服にはワンピースのひだ奥にさりげなくビーズを施し、夜のドレスには、セミの羽のように薄い布にクモの巣をはりめぐらしたようなビーズのドレスを見せてくれた。かなりの重さだろうが、見た目にはとても軽やかなのは、高度な技術の結晶なのだろう。間近で見るからこそ、すばらしさがよくわかる。…」との記事が掲載されていること。
（ム）繊研新聞（１９９８年３月１６日付）において「福井・鯖江眼鏡産地　ブランド事業に新しい流れ」との見出しの下「…シャルマン（本社鯖江市、堀川馨社長）は国内外に販路を拡大し、グループ年商が四百六十億円。『ヴァレンティノ・ガラバーニ』『ケンゾー』『エスプリ』など十六ブランドを販売している。…」との記事が掲載されていること。  
（メ）日刊スポーツ新聞（２０００年３月３日付）において「連載　パリコレ短信（５）原点に返った『バレンチノ』」との見出しの下「…バレンチノ　１９３２年イタリア生まれのバレンチノ・ガラバーニ氏が６０年にスタート。故ジャクリーヌ・ケネディさんがオナシス氏との結婚式で着たレースのミニドレスは世界中の雑誌の表紙に取り上げられた。同氏はエリザベス・テーラーと親友で、９１年、リズが８回目の挙式で着たウエディングドレスを制作した。『Ｖ』のブランドロゴでおなじみ。…」との記事が掲載されていること。  
（モ）繊研新聞（２００２年２月２０日付）において「高島屋　大阪店に最大級の特選ゾーン開設、新規に２０ブランド」との見出しの下「…高島屋大阪店は三月一日サウスタワーホテル内に、二十のインポートブランド（ブティック）で構成する『サロン・ル・シック・サウスタワー』を開設する。売り場面積は千五百平方メートル、初年度約十四億円の売上高を計画している。…パート３では、『シャネル』をはじめ、『セリーヌ』『ダンヒル』『ヴァレンティノ・ガラヴァーニ』など十四ブランド。…」 との記事が掲載されていること。  
４　インターネット情報（２００７年５月にインターネット検索を実施した。）
（ア）「Ｖａｌｅｎｔｉｎｏ　Ｇａｒａｂａｎｉ　 ヴァレンティノ・ガラヴァーニ　解説・歴史 　ヴァレンティノ・ガラヴァーニは１９３３年、北イタリアのヴォゲラ生まれ。パリ・オートクチュール組合学校で学んだ後、ジャン・デッセ、ギ・ラロッシュのアシスタントとして約１０年働いた後、１９５９年独立。ローマにオートクチュールの店を開く。６０年に最初のコレクションを発表。６２年フィレンツェのピッティ宮殿で開かれた『白だけの服』が注目を集め一躍国際的に知られることとなる。…２００１年春夏からディヒュージョンライン『ヴァレンティノ　ローマ』を発表。ヴァレンティノのデザインの原点となっているローマをネーミングし、ヴァレンティノらしい優雅で洗練された世界に加え、若さあふれるコレクションとなっている。 …　ショップリスト　　旗艦店　　サンローゼ赤坂　東京都千代田区紀尾井町4-1 ホテルニューオータニ・サンローゼ赤坂　TEL 03-3261-9156　　インショップ　札幌三越5F特選サロン　札幌市中央区南一条西3-8　TEL 011-222-6888　インペリアルプラザ　東京東京都千代田区内幸町1-1-1 インペリアルプラザ2F　TEL 03-3501-7070　新宿伊勢丹3F　東京都新宿区新宿3-14-1　TEL 03-3354-5303日本橋三越3F　東京都中央区日本橋室町1-4-1　TEL 03-3276-0636　日本橋高島屋4F　東京都中央区日本橋2-4-1　TEL 03-3281-1751　渋谷西武A館7F　東京都渋谷区宇田川町21-1　TEL 03-3462-3549　池袋西武6F　東京都豊島区南池袋1-28-1　TEL 03-3987-5739　銀座松屋4F　東京都中央区銀座3-6-1　TEL 03-3567-5025　小田急百貨店6F　東京都新宿区西新宿1-1-3　TEL 03-5325-2437　東急百貨店本店3F　東京都渋谷区道玄坂2-24-1　TEL 03-3477-3584　玉川高島屋SC店　東京都世田谷区玉川3-17-1　TEL 03-5717-6672　名古屋店　名古屋市中区錦3-6-29 サウスハウス 1F　TEL 052-955-8550　京都高島屋2F　京都市下京区四条河原町西入間町52　TEL 075-255-0920　ジェイアール京都伊勢丹3F　京都市下京区烏丸通塩小路下る東塩小路町533-6　TEL 075-352-6286　梅田阪急4F　大阪市北区角田町8-7　TEL 06-6361-1446　リーガロイヤルホテルタカシマヤ　大阪市北区中ノ島5-3-68　TEL 06-6448-4721　大阪高島屋サロン・ル・シックサウスタワー5F　大阪市中央区難波5-1-60 南海サウスタワーホテル大阪　TEL 06-6646-5174　大丸神戸店　神戸市中央区播磨町29　TEL 078-391-1644 福屋八丁堀本店3F　広島市中区胡町6-26　TEL 082-246-6152　松山三越3F　愛媛県松山市一番町3-1-1　TEL 089-934-8064　タカシマヤサンローゼ博多2F　福岡市中央区渡辺通1-1-2　TEL 092-726-6000 （http://www.fashion-st.net/link/val.html）  
（イ）「ファッション用語集◆１０００◆　…　・ヴァレンティノ・ガラヴァーニ【Valentino Garavani】〔1933〜.イタリア;ヴォゲラ〕パリ・クチュール組合学校卒業後、ジャン・デッセ、ギ・ラロッシュのもとで修行を積み、’５９年に独立しました。ローマにオート・クチュール・メゾンを構えて、’６０年には初のコレクションを発表してました。’６２に発表された「白だけの服」と名付けられた“白一色”のコレクションは意表をつく演出で大成功をおさめ、〈ヴァレンティノ〉の名を国際的に知らしめるものとなりました。良質の素材からつくり出される洗練されたエレガンスは、シンプルな中にも優雅や女性らしさを兼ね備え、多くの女性達の支持を受けています。（http://www.wamasa.com/fash/2005/09/post_99.html）  
（ウ）「Ｖａｌｅｎｔｉｎｏ １９３２年、ヴォゲラ（イタリア）の生まれ。本名ヴァレンティノ・ガラヴァーニ。エレガントなイヴニングドレスやクラシックなデザインで、４０年以上もファッション界のトップに君臨してきた。子どものころからファッションや絵画、建築などに興味を持っていた。ミラノでファッション・デザインとフランス語を学び、ファッションを勉強するためにパリへ渡る。学生時代にIWS（国際羊毛事務局）で高い評価を得たことがきっかけで、５０年からジャン・デッセの下で働くことになった。５年間後、『ギ・ラロッシュ』に移籍し、６０年には自身のブランドを立ち上げた。初のコレクションはローマで発表、撮影で当地を訪れていたエリザベス・テイラーの目に止まったことで、彼のサクセス・ストーリーが始まった。　…　６０年代を代表するデザイナーのひとりとなったヴァレンティノは、ミニスカート全盛のトレンドに逆らって、床まで届くロングスカートにこだわった。テーマ・カラーの「ヴァレンティノ・レッド」や白黒のシンプルなコントラストも永遠のものだ。」（http://www.vogue.co.jp/people/valentino.html）
 （エ）「Valentino GARAVANI ヴァレンティノ・ガラヴァーニ　ブランドネクタイの中でも、ラインアップの多様さ・贅沢な材質を惜しみなく使った贅沢さで定評あるヴァレンティノ。生地のボリュームに滑らかな質感と、どれをとっても一級品のネクタイばかり。カジュアルなものから、フォーマルなものまで幅広く取り揃えました。豪華でありながらもさりげないデザインは、貴方のスーツ姿をシャープに、かつ美しく演出いたします。」（http://www.e-necktie.jp/necktie/valentino/index.html）  
（オ）「ＶＡＬＥＮＴＩＮＯ　　…　夏の白昼夢、憧れのヴァレンティノ　どこまでも洗練されたモダンクラシックの世界を追い求めるヴァレンティノ・ガラヴァーニ。その美意識が織りなすエレガントで知的なスタイル、特別な時間への憧れ、贅沢なリラックスをあなたへ。　　…　ヴァレンティノ・ガラヴァーニ　精練されたモダンクラシックの世界を。ヴァレンティノ【玄関マット　ジェネローソFH1861】68×120cm 15,750円 税込　送料込 　　…　 ヴァレンティノ・ガラヴァーニ　精練されたモダンクラシックの世界を。　ヴァレンティノ【ジェネローソ　リビングシート　LN1801】45×45cm 　5,145 円 税込　送料別 　　…　　ヴァレンティノ・ガラヴァーニ　精練されたモダンクラシックの世界を。　ヴァレンティノ【エスティーヴォ　フロアークッション　LL1808】55×55cm 　 8,190 円 税込 送料別　　…　」（http://item.rakuten.co.jp/neore/c/0000000424/）  
（カ）「ＶＡＬＥＮＴＩＮＯ　ホテルニューオータニ博多店 ファッションの世界最高峰であるヴァレンティノ・ガラヴァーニのワンブランドショップ。福岡で３０年以上に渡り毎シーズンのコレクションをご紹介して参りました。 九州で唯一のブティック。婦人を中心に、紳士の単品も揃えてあります。 福岡市中央区渡辺通り１丁目１−２ ホテルニューオータニ博多サンローゼ２階 」（http://www.horaya.co.jp/file/boutiques.html）  
（キ）「ヴァレンティノ 銀座が’０５年１２月２日（金）、オープン　…　オートクチュールメゾンの最高峰として知られる、イタリアの名門ブランド『ヴァレンティノ』。ハイパーラグジュアリーな素材を惜しみなく用い、シンプルななかにも優雅さ、極上のエレガンスを醸し出すデザインはジェニファー・ロペス、ペネロペ・クルス、ジュリア・ロバーツなど世界のセレブリティに愛され、時代を超えて世界中の女性たちを虜にし続けている。その『ヴァレンティノ』が’０５年１２月２日（金）、銀座・並木通りに新しいブティックをオープンした。　…　1階にはアクセサリーライン『ヴァレンティノ ガラヴァーニ』のバッグ、シューズなど小物が揃う…　」（http://www.elle.co.jp/home/fashion/news/bd/?news=05_1202）  
（ク）「ＶＡＬＥＮＴＩＮＯ ヴァレンティノ　…　ジャクリーヌ・ケネディ、エリザベス・テイラー、ブルック・シールズ、ジナ・ロロブリジータ、モニカ・ヴィッティ、ロスチャイルド、モナコのカトリーヌ大妃、イギリスのダイアナ妃など、世界のトップレディーを魅了してきたクチュリエの最高峰。ヨーロッパをはじめとする世界の社交界では憧れの的となっているヴァレンティノは、名実ともに『世界のトップ・デザイナー』として君臨している。北イタリアのヴォゲラ生まれ。その輝かしいキャリアは１９５９年、ローマのアトリエハウスからはじまった。１９６７年にはファッション界のオスカーとして多くの憧憬を集める『ニーマン・マーカス賞』を受賞。  
　翌１９６８年のホワイトコレクションにより世界の注目を浴びた。その才能を誰よりも早く認識したアメリカのファッション プレスは、ヴァレンティノを『真実の新発見』と絶賛する。またこのコレクションで彼は初めて、『勝利の象徴である“Ｖ”』を自分のマークとして採用。２大雑誌『ＴＩＭＥ』『ＬＩＦＥ』の表紙を飾り、『キング・オブ・デザイナー』の地位を確立した。…　さらに２０００年、ＣＦＤＡ（アメリカ ファッションデザイナーズ協会）より生涯功労賞が贈られた。このように数々の賞によって証明されてきたヴァレンティノの類いまれなる創造性は、今後もさらに輝きを増し、高まっていくにちがいない。」（http://www.vbj.co.jp/history/index.html）  
５　以上の事実によれば、「ＶＡＬＥＮＴＩＮＯ」の表示は，本願商標の出願日の当時、ヴァレンティノ・ガラヴァーニ又はそのデザインに係る商品群に使用されるブランドの略称を表すものとして、我が国の取引者及び需要者の間に広く認識されており、その状態が現在においても継続していると認められる。 
　
第４　証拠調べ通知に対する請求人の意見の概要
１　請求人は、審判官が証拠調べ通知書によって提示した数々の事実を否定するものでなく、「ＶＡＬＥＮＴＩＮＯ　ＧＡＲＡＶＡＮＩ」商標の著名性も争わないが、「ＶＡＬＥＮＴＩＮＯ」のみの表示が「ＶＡＬＥＮＴＩＮＯ　ＧＡＲＡＶＡＮＩ」の略称を表すものではないと主張してきたが、請求人の主張は受け入れられなかった。
　請求人が納得できないのは、「ＶＡＬＥＮＴＩＮＯ　ＧＡＲＡＶＡＮＩ」商標とは類似しておらず、かつ、長年継続して使用している本件商標について、「ＶＡＬＥＮＴＩＮＯ」の表示が「ＶＡＬＥＮＴＩＮＯ　ＧＡＲＡＶＡＮＩ」の略称を表すものとして認識されているとの一事をもって、本願商標が、商標法第４条第１項第１５号に該当するとして拒絶されねばならないかということであり、商品の出所につき混同を生ずるおそれがあるとの理由が示されていない。「ＶＡＬＥＮＴＩＮＯ」のみの表示が「ＶＡＬＥＮＴＩＮＯ　ＧＡＲＡＶＡＮＩ」の略称を表すものとして認識されているとは到底いえないと主張したが、受け入れられなかった。 
２　本件商標は「ＶＡＬＥＮＴＩＮＯ　ＧＡＲＡＶＡＮＩ」商標とは類似しておらず、かつ、長年継続して使用しているにもかかわらず、「ＶＡＬＥＮＴＩＮＯ　ＧＡＲＡＶＡＮＩ」商標と商品の出所につき混同を生ずるおそれがあると判断されているが、審判官は、その具体的な理由を示していない。
３　請求人は、本件商標の採用のいきさつについて説明し、１９８２年（昭和５７年）から使用を開始し、１９８５年（昭和６０年）からはライセンス事業が軌道にのり各種の商品展開をしていること、及び取引の実情について詳細に説明すると共に、数多くの使用実績を示す証拠を提出した。
　本件商標は、使用開始してすでに２５年目になり、今日まで、引き続き使用し、かつ、宣伝広告にも力を入れ、一般の人々が行き来する地下鉄ホームや構内のショーウインドや電照板への掲出、地下鉄車内やバス車内の広告（第３７号証〜第４１号証）など、毎日、大勢の人々の目に触れているという事実は無視できないものと思料する。
　取引の実情については、すでに提出済みの第１３号証ないし第１５号証のライセンスブランド市場におけるマーケティング調査による数字及び分析結果で明らかなように、本件商標は、ライセンスブランドの強さを発揮しているブランドのーつであると評価され、市場にすっかり定着しているものである。
４　審判官は、「ＶＡＬＥＮＴＩＮＯ　ＧＡＲＡＶＡＮＩ」の著名性のみに着目するのではなく、本件商標の使用実績や取引の現実をも十二分に検証し、「ＶＡＬＥＮＴＩＮＯ　ＧＡＲＡＶＡＮＩ」との間における取引者・需要者層の相違、商品群の相違、価格の相違などを基準として総合的に判断するべきである。そうすれば、「ＶＡＬＥＮＴＩＮＯ　ＧＡＲＡＶＡＮＩ」と本件商標との相違を明確に理解できるものと思料する。
５　審判官は、「ＶＡＬＥＮＴＩＮＯ」の表示は、ヴァレンティノ・ガラヴァーニ又はそのデザインに係る商品群に使用されるブランドの略称を表すものとして、我が国の取引者及び需要者の間に広く認識されていると認定した。このことは、「ＶＡＬＥＮＴＩＮＯ」といえば、著名な「ＶＡＬＥＮＴＩＮＯ　ＧＡＲＡＶＡＮＩ」を認識することになるということであるから、「ＶＡＬＥＮＴＩＮＯ　ＧＡＲＡＶＡＮＩ」と異なる商標は埒外ということになる。すなわち、この認定判断に従えば、「ＶＡＬＥＮＴＩＮＯ」のみの表示に接する取引者・需要者は、「ＶＡＬＥＮＴＩＮＯ　ＧＡＲＡＶＡＮＩ」を指しているものと認識し、それ以外の商標に対しては、例え、「ＶＡＬＥＮＴＩＮＯ」の文字を有するといえども、「ＶＡＬＥＮＴＩＮＯ　ＧＡＲＡＶＡＮＩ」とは異なる商標であることを明確に認識することができるということになる。 
６　商標審査基準によれば、商標法第４条第１項第１５号にいう「他人の業務に係る商品又は役務と混同を生ずるおそれがある場合」とは、「その他人の業務に係る商品又は役務であると誤認し、その商品又は役務の需要者が商品又は役務の出所について混同するおそれがある場合のみならず、その他人と経済的又は組織的に何らかの関係がある者の業務に係る商品又は役務であると誤認し、その商品又は役務の需要者が商品又は役務の出所について混同するおそれがある場合をもいう。」と説明されている。 
７　本件商標は、出願後あるいは登録後に使用することを予定していたものではなく、出願時点では、使用開始後２１年も経過しており、取引者・需要者にはすでに認知されている商標であり、将来の「おそれ」を論じる余地はないものである。 
８　商標法の目的は、長年の使用により商標に化体した信用を保護することにあるが、本件商標はまさに商標法により保護されてしかるべき信用を維持している。もし、出所の混同を生ずるおそれがあるのであれば、使用開始してまもなく、取引者・需要者をして誤認・混同を生ぜしめていたものと思われるが、使用開始後２５年、そのような問題は全くなく、我が国の取引者・需要者に迷惑をかけたことは一度もなく、「ＧＩＡＮＮＩ　ＶＡＬＥＮＴＩＮＯ」として認識され、取引市場に定着しているブランドの一つである。
　以上のとおり、「ＶＡＬＥＮＴＩＮＯ」の文字を含んでいるとの一事をもって、本願商標が拒絶される理由は全くないものと確信する。 
９　本願商標は、「図形／ＧＩＡＮＮＩ　ＶＡＬＥＮＴＩＮＯ」であり、「ＶＡＬＥＮＴＩＮＯ」とのみ略して使用することは決してなく、かつ、「ヴァレンティーノ」と略して称することも決してない。略すとすれば、「ＧＩＡＮＮＩ」、「ジアンニ」であり、取引者・需要者からも「ジアンニ」と指称される。 
１０　以上のとおり、本願商標は、「ＶＡＬＥＮＴＩＮＯ　ＧＡＲＡＶＡＮＩ」商標とは、商品の出所につき混同を生ずるおそれはない。 
  
第５　当審の判断 
１　「Ｖａｌｅｎｔｉｎｏ(ヴァレンティノ)」の著名性について
　前記第３の職権による証拠調べによれば、以下の事実が認められる。 
（１）Ｖａｌｅｎｔｉｎｏ　Ｇａｒａｖａｎｉ(ヴァレンティノ・ガラヴァーニ）は、１９３３年、北イタリアのヴォゲラで生まれ、パリ・オートクチュール組合学校で学んだ後、ジャン・デッセ、ギ・ラ・ロッシュのアシスタントとして約１０年働き、１９５９年独立し、ローマにオートクチュールの店を開く。１９６０年に最初のコレクションを発表し、１９６２年フィレンツェのピッティ宮殿で開かれた『白だけの服』が注目を集め一躍国際的に知られることとなる。そして、１９６７年（昭和４２年）には、デザイナーとして最も栄誉があるとされる「ファッションオスカー（Ｆａｓｈｉｏｎ　Ｏｓｃａｒ）」を受賞し、ライフ誌、ニューヨークタイム誌等著名な新聞、雑誌に「Ｖａｌｅｎｔｉｎｏ　Ｇａｒａｖａｎｉ」の作品として掲載され、「Ｖａｌｅｎｔｉｎｏ　Ｇａｒａｖａｎｉ」と共に「Ｖａｌｅｎｔｉｎｏ」の名は世界に知れわたった。その後、２００１年春夏からディヒュージョンライン『ヴァレンティノ　ローマ』を発表した。
　我が国においても、昭和５１年９月に、ヴァレンティノ・ガラバーニの７６秋冬コレクションが、大阪ロイヤルホテルで開かれ新聞各社が報道している。
　また、「Ｖａｌｅｎｔｉｎｏ　Ｇａｒａｖａｎｉ」のデザインによる商品は、紳士物も始め、アクセサリー、バッグ、宝石類、香水、化粧品、家具、布地、インテリア、ベルト、婦人服、紳士服、ネクタイ、靴、装身具、手袋、ボールペン、万年筆、シャープペン、靴下、眼鏡フレーム、ライター、傘、ハンカチ、下着、小物入れ、シガレットケース等その仕事の幅は非常に広範囲にわたっている。
　そして、「Ｖａｌｅｎｔｉｎｏ　Ｇａｒａｖａｎｉ」及び「ヴァレンティノ　ガラヴァーニ」、その略称である「ＶＡＬＥＮＴＩＮＯ（Ｖａｌｅｎｔｉｎｏ）」又は「ヴァレンティノ（バレンチノ）」は、各種ファッション雑誌、新聞記事等において、ファッション関連の商品のデザイナー「Ｖａｌｅｎｔｉｎｏ　Ｇａｒａｖａｎｉ（ヴァレンティノ　ガラヴァーニ）」の略称として、また、同人のデザイナーブランドである「Ｖａｌｅｎｔｉｎｏ　Ｇａｒａｖａｎｉ」及び「ヴァレンティノ　ガラヴァーニ」を示す表示として、繰り返し使用されている。
　以上認定のとおり、「ＶＡＬＥＮＴＩＮＯ」、「ヴァレンティノ」は、有名なファッションデザイナーである「Ｖａｌｅｎｔｉｎｏ　Ｇａｒａｖａｎｉ」「ヴァレンティノ　ガラヴァーニ」のデザインに係る商品のブランドの略称として、本願商標の登録出願日前より、我が国の婦人服、紳士服その他のファッション関連の商品の取引者、需要者において周知、著名なものと認められ、その著名性は、現在においても継続しているとみるのが相当である。
２　出所の混同について 
（１）本願商標について
　本願商標は、前記のとおりの構成よりなるところ、その構成中に世界的に著名なデザイナーであり、かつそのデザインに係る商品のブランドの著名な略称である「ＶＡＬＥＮＴＩＮＯ」の文字を有するものである。そして、該「ＶＡＬＥＮＴＩＮＯ」の文字に接した取引者、需要者は、該文字部分を「ＶＡＬＥＮＴＩＮＯ　ＧＡＲＡＶＡＮＩ」に係る「ＶＡＬＥＮＴＩＮＯ」の表示と把握、認識し、特に注意を強く引くものである。 
（２）指定商品について
　本願商標の指定商品は、「眼鏡」、「織物」、「なべ類，コーヒー沸かし（電気式又は貴金属製のものを除く。），鉄瓶，やかん，食器類（貴金属製のものを除く。），携帯用アイスボックス，米びつ，食品保存用ガラス瓶，水筒，魔法瓶」等の台所用品、日用品とするものであるところ、該商品の需要者は、一般の消費者であると認められる。一方、「Ｖａｌｅｎｔｉｎｏ　Ｇａｒａｖａｎｉ」「ヴァレンティノ　ガラヴァーニ」のデザインに係る商品の需要者も、一般の消費者と認められる。 
　さらに、「眼鏡」はいうまでもなく、近時、食器類等の台所用品や日用品において、ファッション関連のブランド（エルメス、ルイ・ヴィトン）や著名なデザイナー名を表示した商品がみられる。 
　そうとすると、本願商標の指定商品と「Ｖａｌｅｎｔｉｎｏ　Ｇａｒａｖａｎｉ」「ヴァレンティノ　ガラヴァーニ」のデザインに係るファッション関連商品は、取引者・需要者を共通にし、密接な関連性を有するものといわなければならない。
（３）本願商標の構成態様及び上記商品の取引の実情よりすれば、本願商標をその指定商品について使用した場合は、これに接する取引者及び需要者は、その構成中の「ＶＡＬＥＮＴＩＮＯ」の文字部分に強く印象付けられ、「ヴァレンティノ」とも呼ばれる「Ｖａｌｅｎｔｉｎｏ　Ｇａｒａｖａｎｉ(ヴァレンティノ　ガラヴァーニ)」のブランドを連想、想起することは明らかであり、該商品が「Ｖａｌｅｎｔｉｎｏ　Ｇａｒａｖａｎｉ(ヴァレンティノ　ガラヴァーニ)」のブランドの一つないしは、兄弟ブランドであるとの誤解を生ずるか、あるいは「Ｖａｌｅｎｔｉｎｏ　Ｇａｒａｖａｎｉ(ヴァレンティノ　ガラヴァーニ)」、もしくはその関連会社と組織的、経済的に何らかの関係がある者の業務に係る商品であるかのように認識する可能性が極めて高いというべきである。 
３　請求人の主張について     
（１）請求人は、本件審判請求書及び証拠調べ通知に対する意見書において、要旨次のように主張している。
　（ア）証拠調べ通知の各証拠をもって、「ＶＡＬＥＮＴＩＮＯ」のみが、「Ｖａｌｅｎｔｉｎｏ　Ｇａｒａｖａｎｉ」の略称を表すものとして認識されていないこと。 
　（イ）また、「Ｖａｌｅｎｔｉｎｏ　Ｇａｒａｖａｎｉ(ヴァレンティノ　ガラヴァーニ)」以外の、「ＶＡＬＥＮＴＩＮＯ」の文字を含むデザイナーは、その使用するブランドについて、他のデザイナーに係る商品と混同を避けるため、一連で使用し、棲み分けを図っていること、本願商標は、登録商標として他類で登録を有すること、及び「ＧＩＡＮＮＩ　ＶＡＬＥＮＴＩＮＯ」は、新人デザイナーのときにその才能が発掘され、請求人の自社ブランドとして使用することで出発し、ブランドの業務拡大を目指してライセンス事業へと拡大し、「繊研新聞」への継続的広告掲載や大阪の地下鉄御堂筋線長堀橋駅、難波駅の電照看板、大阪市営地下鉄と市営バスの全車両にイべントポスター広告を掲出し、地下鉄梅田駅のショーウインドや東京営団地下鉄の人形町、浜松町の電照看板への広告を行い、大勢の人、しかも一般の人々が行き来する地下鉄ホームや構内のショーウインドや電照板への広告を行ってったことにより、株式会社矢野経済研究所の「２００１年版／ライセンスブランド全調査」によれば、「ＧＩＡＮＮＩ　ＶＡＬＥＮＴＩＮＯ」（「ジャンニバレンチノ」と表示されている）は、２０００年度ライセンスブランド売上高ランキングでは、１１６ブランド中、年商２５０億円で「第７位」にランクされていること等を挙げ、「ＧＩＡＮＮＩ　ＶＡＬＥＮＴＩＮＯ」は一体の商標として、「ＶＡＬＥＮＴＩＮＯ　ＧＡＲＡＶＡＮＩ」と同程度に、本願出願日である平成１５年１０月２日前には、取引者・需要者の間に広く知られた周知の商標となっていること。
（２）しかしながら、（ア）については、上記第５　１で認定したとおり、「ＶＡＬＥＮＴＩＮＯ(ヴァレンティノ)」は、「Ｖａｌｅｎｔｉｎｏ　Ｇａｒａｖａｎｉ(ヴァレンティノ　ガラヴァーニ)」の略称として、ファッション関連の商品分野の取引者及び需要者の間に極めて著名である。また、「Ｖａｌｅｎｔｉｎｏ　Ｇａｒａｖａｎｉ(ヴァレンティノ　ガラヴァーニ)」以外の、「ＶＡＬＥＮＴＩＮＯ」の文字を含むデザイナーに係るブランドが、単に「ヴァレンティノ」若しくは「ＶＡＬＥＮＴＩＮＯ」と略称されている事実は存在しない。
　そうとすれば、「ＶＡＬＥＮＴＩＮＯ」「ヴァレンティノ」の表示から、取引者及び需要者は、直ちに「Ｖａｌｅｎｔｉｎｏ　Ｇａｒａｖａｎｉ(ヴァレンティノ　ガラヴァーニ)」ないしは、同デザイナーのデザインに係る商品群について使用される「ＶＡＬＥＮＴＩＮＯ(ヴァレンティノ)商標」を想起することは明らかである。
　（イ）については、「ＧＩＡＮＮＩ　ＶＡＬＥＮＴＩＮＯ」が、イタリア国ミラノ在のデザイナーであることは認められるものの、「ＶＡＬＥＮＴＩＮＯ」が、著名なファッションデザイナー「Ｖａｌｅｎｔｉｎｏ　Ｇａｒａｖａｎｉ(ヴァレンティノ　ガラヴァーニ)」に係る表示として取引者、需要者に広く知られていることと同程度に「ＧＩＡＮＮＩ　ＶＡＬＥＮＴＩＮＯ」が広く知られているとは認め難たい。
　さらに、「繊研新聞」の広告掲載も単にライセンス事業に係る内容であり、大阪の地下鉄のショーケースには紳士用被服等展示されているものの一箇所のみであり、地下鉄、市バスの広告についても、イベントのスポンサーとしての一時的な掲載であって、「ＧＩＡＮＮＩ　ＶＡＬＥＮＴＩＮＯ」として本件指定商品との関係において独自の自他商品の識別性を獲得しているとは認められない。
　加えて、株式会社矢野経済研究所の「２００１年版／ライセンスブランド全調査」において、２０００年度ライセンスブランド売上高ランキングで、１１６ブランド中、年商２５０億円で「第７位」にランクされていることについては、我が国におけるライセンス事業全般の売り上げ及び順位を示したものにすぎない。
　そうとすると、「ＧＩＡＮＮＩ　ＶＡＬＥＮＴＩＮＯ」は、請求人の所有するライセンスブランドの一つにすぎず、本願出願日である平成１５年１０月２日前及び現在において、「ＶＡＬＥＮＴＩＮＯ　ＧＡＲＡＶＡＮＩ」と同程度に取引者・需要者の間に広く知られたデザイナー名又は商標とは認め難いものである。
　以上のとおり、請求人の上記主張は何れも採用できない。 
４　むすび 
　本願商標は、これをその指定商品について使用するときは、「Ｖａｌｅｎｔｉｎｏ　Ｇａｒａｖａｎｉ(ヴァレンティノ　ガラヴァーニ)」の略称として知られる「ＶＡＬＥＮＴＩＮＯ」を使用した商品であるかのごとく誤認し、「Ｖａｌｅｎｔｉｎｏ　Ｇａｒａｖａｎｉ(ヴァレンティノ　ガラヴァーニ)」、もしくはその関連会社と組織的、経済的に何らかの関係がある者の業務に係る商品であるかのよう商品の出所の混同を生ずるおそれがあるものといわなければならない。
　したがって、本願商標が商標法第４条第１項第１５号に該当するとして、本願を拒絶した原査定は妥当であり、これを取消すことはできない。
　よって、結論のとおり審決する。